(57)【要約】【課題】  適切なタイミングでＷｅｂコンテンツを表示することが可能な画像処理装置を提供することを目的とする。【解決手段】  画像処理装置は、ユーザ認証に関する設定に従って、Ｗｅｂコンテンツの表示タイミングを決定し、決定された表示タイミングになると、予め登録したＷｅｂコンテンツを表示する。【選択図】  図９
2019010863.tif 000002
【特許請求の範囲】
【請求項１】
表示すべきコンテンツを登録する登録手段と、
前記受信手段により特定のイベントが発生したことに従って、前記登録手段により登録されたコンテンツを操作部に表示する表示制御手段と、を有する画像処理装置であって、
ユーザを認証するためのユーザ認証に関する設定を行う設定手段と、
前記設定手段により設定されたユーザ認証に関する設定に従って、前記コンテンツの表示タイミングとなる前記特定のイベントを設定する設定手段と、
を有することを特徴とする画像処理装置。
【請求項２】
ユーザを前記画像処理装置にログインさせるためのログイン処理を行う認証処理手段と、
前記操作部に対する操作が所定時間行われなかったことに従って、操作部に表示されている画面における設定値を初期値に戻すオートクリア処理を行うオートクリア処理手段と、を有し、
前記決定手段は、前記認証処理手段から通知されるログインイベント、又は、前記オートクリア処理手段から通知されるオートクリアイベントを、前記特定のイベントとして決定することを特徴とする請求項１に記載の画像処理装置。
【請求項３】
前記設定手段は、ユーザ認証を行うか否かを設定し、
前記決定手段は、前記設定手段によりユーザ認証を行わない設定がされた場合、前記オートクリアイベントを前記特定のイベントとして決定することを特徴とする請求項２に記載の画像処理装置。
【請求項４】
前記設定手段は、ユーザ認証に必要な認証情報を入力させるための認証画面を、前記画像処理装置の操作開始時に表示するか、前記画像処理装置が有する複数の機能のうちのいずれかの機能の選択時に表示するか、を設定することが可能であり、
前記決定手段は、前記認証画面を前記画像処理装置の操作開始時に表示する設定がされた場合、前記ログインイベントを前記特定のイベントとして決定し、前記認証画面を前記画像処理装置が有する複数の機能のうちのいずれかの機能の選択時に表示する設定がされた場合、前記オートクリアイベントを前記特定のイベントとして決定することを特徴とする請求項２又は３に記載の画像処理装置。
【請求項５】
前記設定手段により、前記認証画面を前記画像処理装置が有する複数の機能のうちのいずれかの機能の選択時に表示する設定がされた場合、さらに、前記複数の機能のうちユーザ認証を必要とする機能を設定可能であることを特徴とする請求項４に記載の画像処理装置。
【請求項６】
前記設定手段により、前記認証画面を前記画像処理装置の操作開始時に表示する設定がされた場合、前記表示制御手段は、前記画像処理装置が起動すると前記認証画面を前記操作部に表示し、
前記設定手段により、前記認証画面を前記画像処理装置が有する複数の機能のうちのいずれかの機能の選択時に表示する設定がされた場合、前記表示制御手段は、前記画像処理装置が起動すると、前記複数の機能の中から使用する機能を選択するためのメニュー画面を前記操作部に表示し、ユーザ認証が必要な機能として設定された機能が前記メニュー画面から選択されると、前記認証画面を前記操作部に表示することを特徴とする請求項５に記載の画像処理装置。
【請求項７】
原稿上の画像を読み取って画像データを生成する読取手段と、
画像データに基づいて用紙上に画像を印刷する印刷手段と、
画像データを記憶する記憶手段と、
ネットワークを介して外部と通信するための通信手段と、を備え、
前記画像処理装置が備える機能は、前記読取手段により原稿上の画像を読み取って生成された画像データに基づいて前記印刷手段により用紙上に画像を印刷する機能、外部装置から送信された画像データに基づいて用紙上に画像を印刷する機能、前記読取手段により原稿上の画像を読み取って生成された画像データを前記通信手段により外部へ送信する機能、前記読取手段により原稿上の画像を読み取って生成された画像データを前記記憶手段に記憶する機能、前記記憶手段に記憶された画像データを処理する機能、の少なくともいずれか一つを含むことを特徴とする請求項４から６のいずれか１項に記載の画像処理装置。
【請求項８】
前記受信手段により前記特定のイベントを受信したことに従って、前記登録手段により登録されたコンテンツを外部のサーバから取得する取得手段を有し、
前記表示制御手段は、前記取得手段により取得したコンテンツを表示することを特徴とする請求項１から７のいずれか１項に記載の画像処理装置。
【請求項９】
前記登録手段は、前記画像処理装置とネットワークを介して接続された情報処理装置のＷｅｂブラウザを用いて入力された情報に基づき、表示すべきコンテンツを登録することが可能であることを特徴とする請求項１から８のいずれか１項に記載の画像処理装置。
【請求項１０】
前記登録手段により登録することが可能なコンテンツは、Ｗｅｂブラウザで閲覧可能なＷｅｂコンテンツであることを特徴とする請求項１から９のいずれか１項に記載の画像処理装置。
【請求項１１】
表示すべきコンテンツを登録する登録手段と、
イベントを受信する受信手段と、
前記受信手段により特定のイベントを受信したことに従って、前記登録手段により登録されたコンテンツを操作部に表示する表示制御手段と、を有する画像処理装置の制御方法であって、
ユーザを認証するためのユーザ認証に関する設定を行う設定工程と、
前記設定工程で設定されたユーザ認証に関する設定に従って、前記コンテンツの表示タイミングとなる前記特定のイベントを決定する決定工程と、
を有することを特徴とする画像処理装置の制御方法。
【請求項１２】
画像処理装置の表示部に表示すべきコンテンツを登録する登録手段と、
前記登録手段が登録したコンテンツを、前記画像処理装置に対するログインに応じて表示するかを設定する設定手段と、
前記設定手段において前記登録手段が登録したコンテンツを、前記画像処理装置に対するログインに応じて表示するよう設定するよう設定されている場合、ユーザがログインすることに応じて、前記登録手段により登録されたコンテンツを前記表示部において表示する処理を制御する表示制御手段と、
を有することを特徴とする画像処理装置。
【請求項１３】
画像処理装置の表示部に表示すべきコンテンツを登録する登録手段と、
前記登録手段が登録したコンテンツを、前記画像処理装置に対してユーザがログインしていないタイミングで表示するか、前記画像処理装置に対してユーザがログインしたタイミングで表示するかを設定する設定手段と、
前記登録手段が登録したコンテンツを前記画像処理装置に対してユーザがログインしていないタイミングで表示するよう前記設定手段により設定されている場合、ユーザがログインしていないタイミングで、前記登録手段により登録されたコンテンツを前記表示部において表示し、前記登録手段が登録したコンテンツを前記画像処理装置に対してユーザがログインしたタイミングで表示するよう前記設定手段により設定されている場合、ユーザがログインしたタイミングで、前記登録手段により登録されたコンテンツを前記表示部に表示する処理を制御する表示制御手段と、
を有することを特徴とする画像処理装置。
【請求項１４】
前記表示制御手段は、前記登録手段が登録したコンテンツを前記画像処理装置に対してユーザがログインしていないタイミングで表示するよう前記設定手段により設定されている場合、ユーザがログアウトすることに応じて、前記登録手段により登録されたコンテンツを前記表示部において表示する請求項１３に記載の画像処理装置。
【請求項１５】
前記設定手段は、前記登録手段が登録した複数のコンテンツのそれぞれに対して異なる表示タイミングを設定可能である請求項１３に記載の画像処理装置。
【請求項１６】
前記設定手段は、前記コンテンツの表示タイミングを前記ログインイベントが発生したタイミングにするか前記オートクリアイベントが発生したタイミングにするかを設定でき、前記表示制御手段は、前記設定手段により設定されたタイミングで前記コンテンツを表示する処理を制御することを特徴とする請求項１３乃至１５のいずれか１項に記載の画像処理装置。
【請求項１７】
画像処理装置の表示部に表示すべきコンテンツを登録する登録工程と、
前記登録工程が登録したコンテンツを、前記画像処理装置に対するログインに応じて表示するかを設定する設定工程と、
前記設定工程において前記登録工程が登録したコンテンツを、前記画像処理装置に対するログインに応じて表示するよう設定するよう設定されている場合、ユーザがログインすることに応じて、前記登録工程により登録されたコンテンツを前記表示部において表示する処理を制御する表示制御工程と、
を有することを特徴とする画像処理装置の制御方法。
【請求項１８】
画像処理装置の表示部に表示すべきコンテンツを登録する登録工程と、
前記登録工程が登録したコンテンツを、前記画像処理装置に対してユーザがログインしていないタイミングで表示するか、前記画像処理装置に対してユーザがログインしたタイミングで表示するかを設定する設定工程と、
前記登録工程が登録したコンテンツを前記画像処理装置に対してユーザがログインしていないタイミングで表示するよう前記設定工程により設定されている場合、ユーザがログインしていないタイミングで、前記登録工程により登録されたコンテンツを前記表示部に表示し、前記登録工程が登録したコンテンツを前記画像処理装置に対してユーザがログインしたタイミングで表示するよう前記設定工程により設定されている場合、ユーザがログインしたタイミングで、前記登録工程により登録されたコンテンツを前記表示部に表示する処理を制御する表示制御工程と、
を有することを特徴とする画像処理装置の制御方法。
【請求項１９】
前記表示制御工程は、前記登録工程が登録したコンテンツを前記画像処理装置に対してユーザがログインしていないタイミングで表示するよう前記設定工程により設定されている場合、ユーザがログアウトすることに応じて、前記登録工程により登録されたコンテンツを前記表示部に表示する請求項１８に記載の画像処理装置の制御方法。
【請求項２０】
前記設定工程は、前記登録工程が登録した複数のコンテンツのそれぞれに対して異なる表示タイミングを設定可能である請求項１８に記載の画像処理装置の制御方法。
【請求項２１】
前記設定工程では、前記コンテンツの表示タイミングを前記ログインイベントが発生したタイミングにするか前記オートクリアイベントが発生したタイミングにするかを設定でき、前記表示制御工程では、前記設定工程にて設定されたタイミングで前記コンテンツを表示する処理を制御することを特徴とする請求項１８乃至２０のいずれか１項に記載の画像処理装置の制御方法。
【請求項２２】
コンピュータを、請求項１乃至１０、請求項１２乃至１６のいずれか１項に記載の画像処理装置として動作させるためのプログラム。
【発明の詳細な説明】
【技術分野】
【０００１】
画像処理装置及びその制御方法、並びにプログラムに関する。
【背景技術】
【０００２】
近年では、屋外・店頭・公共空間・交通機関など、あらゆる場所で、ネットワークに接続したディスプレイなどを用いて情報を発信する「デジタルサイネージ」が広まりつつある。企業などのオフィスにおいても、従業員に対する情報共有の支援、企業の情報統制等を目的として、デジタルサイネージの活用が注目されている。
【０００３】
複合機等の画像処理装置においても、ネットワークを介して接続されるコンテンツ配信装置からコンテンツを取得し、画像処理装置の操作部に表示する技術が知られている（特許文献１）。
【先行技術文献】
【特許文献】
【０００４】
【特許文献１】特開２０１６−２１８７０６号公報
【発明の概要】
【発明が解決しようとする課題】
【０００５】
複合機等の画像処理装置は１日に何度か利用される端末であり、オフィス内でのサイネージとしてより効果的な活用が望まれており、適切なタイミングで適切な情報をユーザに見せるための仕組みが求められている。
【０００６】
例えば、多くの画像処理装置では、使用可能なユーザを制限するため、ユーザ認証機能が備えられている。ユーザ認証機能がＯＮの場合、画像処理装置を使用しようとするユーザは、認証画面を介して最初に自身のユーザＩＤ、パスワードを入力し、ユーザ認証及びログインが成功すると、画像処理装置の各種機能を使用可能になる。一方、ユーザ認証機能がＯＦＦの場合、認証画面は表示されず、ユーザはユーザ認証及びログインを行うことなく、画像処理装置の各種機能を使用することができる。このように、ユーザ認証機能がＯＮかＯＦＦかによって表示される画面の遷移が変わり、サイネージとして動作すべき適切なタイミングも変わる。これは、ユーザ認証機能のＯＮ／ＯＦＦの場合に限らず、ユーザ認証機能はＯＮであるが、認証画面の表示タイミングが異なる場合等も同様である。
【０００７】
本発明は、ユーザ認証に関する設定に応じて適切なタイミングでＷｅｂコンテンツを表示することが可能な画像処理装置を提供することを目的とする。
【０００８】
本発明のさらなる別の目的は、ユーザのログインやその他のイベントに応じて、適切なタイミングでコンテンツを表示させる装置を提供することである。
【課題を解決するための手段】
【０００９】
上記課題の少なくとも一つを解決するため、本発明は、表示すべきコンテンツを登録する登録手段と、イベントを受信する受信手段と、前記受信手段により特定のイベントを受信したことに従って、前記登録手段により登録されたコンテンツを操作部に表示する表示制御手段と、を有する画像処理装置であって、ユーザを認証するためのユーザ認証に関する設定を行う設定手段と、前記設定手段により設定されたユーザ認証に関する設定に従って、前記コンテンツの表示タイミングとなる前記特定のイベントを決定する決定手段と、を有することを特徴とする。
【発明の効果】
【００１０】
本発明によれば、適切なタイミングでコンテンツを表示することが可能な画像処理装置を提供することができる。
【図面の簡単な説明】
【００１１】
【図１】システムの全体図である。
【図２】画像処理装置のハードウェア構成を示すブロック図である。
【図３】画像処理装置のソフトウェア構成を示すブロック図である。
【図４】画像処理装置の処理手順を示すフロー図である。
【図５−１】Ｗｅｂコンテンツの設定画面の画面の例を示す図である。
【図５−２】Ｗｅｂコンテンツの設定画面の画面の例を示す図である。
【図５−３】Ｗｅｂコンテンツの設定画面の画面の例を示す図である。
【図５−４】Ｗｅｂコンテンツの設定画面の画面の例を示す図である。
【図６】コンテンツ設定管理テーブル３０６の例を示す図である。
【図７】ユーザ認証に関する設定を行うための画面例を示す図である。
【図８（ａ）】サイネージアプリケーション３００の表示がＯＦＦ、認証画面を操作開始時に表示する設定がされている場合に表示される画面のフローを示す図である。
【図８（ｂ）】サイネージアプリケーション３００の表示がＯＦＦ、認証画面を機能選択時に表示する設定がされている場合に表示される画面のフローを示す図である。
【図８（ｃ）】サイネージアプリケーション３００の表示がＯＦＦ、ユーザ認証機能がＯＦＦに設定されている場合に表示される画面のフローを示す図である。
【図９】サイネージアプリケーション３００により予め登録されたＷｅｂコンテンツが表示された時の画面例を示す図である。
【図１０（ａ）】サイネージアプリケーション３００の表示がＯＮ、認証画面を操作開始時に表示する設定がされており、ログイン後にＷｅｂコンテンツを表示する場合に表示される画面のフローを示す図である。
【図１０（ｂ）】サイネージアプリケーション３００の表示がＯＮ、認証画面を操作開始時に表示する設定がされており、オートクリア後にＷｅｂコンテンツを表示する場合に表示される画面のフローを示す図である。
【図１０（ｃ）】サイネージアプリケーション３００の表示がＯＮ、認証画面を機能選択時に表示する設定がされている場合に表示される画面のフローを示す図である。
【図１０（ｄ）】サイネージアプリケーション３００の表示がＯＮ、ユーザ認証機能がＯＦＦに設定されている場合に表示される画面のフローを示す図である。
【発明を実施するための形態】
【００１２】
以下、本発明の実施の形態について図面を参照しながら説明する。
【００１３】
図１は、本発明の実施形態における画像処理システムの全体図である。画像処理装置１００はＬＡＮ１０１を介してインターネット１１０に接続されている。クライアントＰＣ１０２は、ＬＡＮ１０１を画像処理装置１００と接続されている。コンテンツサーバ１２０は、各種Ｗｅｂコンテンツを格納しており、ＬＡＮ１２１を介してインターネット１１０に接続されている。画像処理装置１００は、インターネット１１０を介してコンテンツサーバ１２０から、後述するＷｅｂコンテンツを取得可能である。なお、ここでは、画像処理装置１００、クライアントＰＣ１０２、コンテンツサーバ１２０が１台ずつの場合を例にして説明するが、これらの装置が複数台あっても構わない。また、コンテンツサーバ１２０の代わりに、画像処理装置１００にＷｅｂコンテンツを格納し、内部でＷｅｂコンテンツを取得して表示する構成でも良い。
【００１４】
図２は、本発明の実施形態における画像処理装置１００の構成を示すブロック図である。ＣＰＵ２０１を含む制御部２００は、画像処理装置１００全体の動作を制御する。ＣＰＵ２０１は、ＲＯＭ２０２に記憶された制御プログラムを読み出して読取制御や送信制御などの各種制御を行う。ＲＯＭ２０２はブートＲＯＭであり、システムのブートプログラムが格納されている。ＲＡＭ２０３は、ＣＰＵ２０１の主メモリ、ワークエリア等の一時記憶領域として用いられる。ＨＤＤ２０４は、画像データや各種プログラム、或いは各種情報テーブルを記憶する。また、ＨＤＤ２０４には、後述するＷｅｂコンテンツを記憶することも可能である。操作部Ｉ／Ｆ２０５は、操作部２０９と制御部２００とを接続するためのインタフェースである。操作部２０９には、タッチパネル機能を有する液晶表示部やキーボードなどが備えられている。操作部Ｉ／Ｆ２０５は表示部の一例である。
【００１５】
プリンタＩ／Ｆ２０６は、プリンタ２１０と制御部２００とを接続するためのインタフェースである。プリンタ２１０で印刷すべき画像データは、プリンタＩ／Ｆ２０６を介して制御部２００から転送され、プリンタ２１０において記録媒体上（用紙上）に印刷される。
【００１６】
スキャナＩ／Ｆ２０７は、スキャナ２１１と制御部２００とを接続するためのインタフェースである。スキャナ２１１は、原稿上の画像を読み取って画像データを生成し、スキャナＩ／Ｆ２０７を介して制御部２００に入力する。
【００１７】
ネットワークＩ／Ｆ２０８は、制御部２００をＬＡＮ１０１に接続するためのインタフェースである。ネットワークＩ／Ｆ２０８は、ＬＡＮ１０１を介してインターネット１１０に接続されている外部装置に情報を送信したり、受信したりする。
【００１８】
画像処理装置１００が有する機能（アプリケーション）のうち、代表的なものは以下の通りである。
・スキャナ２１１により原稿上の画像を読み取って生成された画像データをプリンタ２１０にて印刷する「コピー」機能
・クライアントＰＣ１０２等の外部装置から投入されたプリントジョブに基づいて画像データをプリンタ２１０にて印刷する「プリント」機能
・スキャナ２１１により原稿上の画像を読み取って生成された画像データをネットワークＩ／Ｆ２０８を介して外部へ送信する「スキャンして送信」機能
・スキャナ２１１により原稿上の画像を読み取って生成された画像データをＨＤＤ２０４に保存する「スキャンして保存」機能
・ＨＤＤ２０４に保存された画像データをプリンタ２１０にて印刷又はネットワークＩ／Ｆ２０８を介して外部へ送信する「保存ファイルの利用」機能
・Ｗｅｂブラウザを介してＷｅｂサーバ上のデータを閲覧、印刷、保存する「ブラウザ」機能
【００１９】
図３は、画像処理装置１００を含むシステム全体のソフトウェア構成を説明する図である。図３に示す各機能部は、画像処理装置１００内のＣＰＵ２０１が、ＲＯＭ２０２もしくはＨＤＤ２０４に格納された制御プログラムを読み出して実行することで実現される。
【００２０】
画像処理装置１００は、サイネージアプリケーション３００、認証処理部３０８、オートクリア処理部３０９の機能を有する。
【００２１】
サイネージアプリケーション３００は、画像処理装置１００に搭載された組み込みのソフトウェアプログラムである。サイネージアプリケーション３００は、外部通信部３０１、Ｗｅｂコンテンツ表示部３０２、表示制御部３０３、コンテンツ設定部３０４、コンテンツ管理部３０５、コンテンツ設定管理テーブル３０６、イベント受信部３０７を持つ。
【００２２】
外部通信部３０１は、コンテンツサーバ１２０と通信を行ない、コンテンツサーバ１２０で管理されているＷｅｂコンテンツやコンテンツ設定管理テーブルを取得する。外部通信部３０１とコンテンツサーバ１２０間で通信するための通信プロトコルは、ＳＭＢ、ＷｅｂＤＡＶ、ＨＴＴＰである。ＳＭＢは、Ｓｅｒｖｅｒ  Ｍｅｓｓａｇｅ  Ｂｌｏｃｋの略であり、ＷｅｂＤＡＶは、Ｗｅｂ−ｂａｓｅｄ  Ｄｉｓｔｒｉｂｕｔｅｄ  Ａｕｔｈｏｒｉｎｇ  ａｎｄ  Ｖｅｒｓｉｏｎｉｎｇの略である。また、ＨＴＴＰは、Ｈｙｐｅｒｔｅｘｔ  Ｔｒａｎｓｆｅｒ  Ｐｒｏｔｏｃｏｌの略である。なお、電子メールやファイル転送プロトコル（ＦＴＰ）等の、他の通信プロトコルを用いても良い。
【００２３】
Ｗｅｂコンテンツ表示部３０２は、コンテンツサーバ１２０又はＨＤＤ２０４に記憶されているＷｅｂコンテンツをＲＡＭ２０３に読み込み、操作部２０９に出力する。Ｗｅｂコンテンツとは、テキストデータ、ＨＴＭＬ、画像ファイル（ＪＰＥＧ、ＧＩＦ、ＰＮＧ、ＢＭＰ等）、動画ファイル等のＷｅｂブラウザで閲覧可能なデータを指す。
【００２４】
表示制御部３０３は、アプリケーションごとに管理されている画面を切り替えて、操作部２０９に出力する。
【００２５】
コンテンツ設定部３０４は、表示するＷｅｂコンテンツを設定する。具体的には、クライアントＰＣ１０２が有するＷｅｂブラウザを用いて画像処理装置１００が有するＷｅｂサーバにアクセスし、特定のイベント発生時に表示すべきＷｅｂコンテンツをユーザに設定させる。
【００２６】
図５−１〜図５−４は、Ｗｅｂコンテンツを設定するための画面の例を示した図である。上述したとおり、クライアントＰＣ１０２が有するＷｅｂブラウザを用いて画像処理装置１００のＷｅｂサーバにアクセスすることで、これらの画面が表示される。
【００２７】
図５−１（ａ）は、認証情報を入力するための認証画面の画面例を示した図である。この認証画面を介してユーザがユーザ名、パスワードを入力し、ログインボタンを押下すると、認証処理部３０８はユーザ認証及びログイン処理を行う。ここで、管理者権限を持つユーザがログインすると、図５−１（ｂ）の画面が表示される。
【００２８】
図５−１（ｂ）は、管理者権限を持つユーザに、画像処理装置１００に関する各種設定を行わせるための画面の例を示した図である。画面左側に位置するメニューの中からいずれかの設定項目が選択されると、それに応じた詳細の設定項目が画面右側に表示される。例えば、ユーザが設定項目「ライセンス／その他」５０１を選択すると、図５−２（ａ）の画面が表示される。
【００２９】
図５−２（ａ）は、ライセンス／その他に関する詳細な設定を行うための画面の例を示した図である。設定項目５０２を含む各設定項目は、ハイパーリンクになっており、選択すると、その設定項目に応じたＷｅｂページが表示される。ユーザが設定項目５０２を選択すると、図５−３および５−４（ａ）〜（ｃ）に示すサイネージアプリケーション３００の設定画面が表示される。
【００３０】
一方、図５−１（ａ）において、管理者権限を持たないユーザがログインした場合、図５−２（ｂ）の画面が表示される。
【００３１】
図５−２（ｂ）は、管理者権限を持たないユーザに、画像処理装置１００に関する各種設定を行わせるための画面の例を示した図である。この画面では、図５−１（ｂ）の画面で表示されていた設定項目５０１が表示されないため、管理者権限を持たないユーザは、サイネージアプリケーション３００の設定画面を表示させることが出来ない。このように、管理者権限を持つユーザにのみサイネージアプリケーション３００の設定画面を表示させることにより、Ｗｅｂコンテンツの設定が出来るユーザを、管理者に限定することが出来る。なお、本実施形態では、Ｗｅｂコンテンツの設定が出来るユーザを、画像処理装置１００全体の管理者権限を有するユーザに限定しているが、管理者権限を持たない一般のユーザも設定できるようにしても良い。また、画像処理装置１００全体の管理者権限とは別に、サイネージアプリケーション３００独自の管理者権限を設けて、その権限を持つユーザのみＷｅｂコンテンツの設定ができるようにしても良い。
【００３２】
図５−３および図５−４（ａ）〜（ｄ）は、サイネージアプリケーション３００の設定画面の例を示した図である。チェックボックス５０３は、サイネージアプリケーション３００の表示のＯＮ／ＯＦＦを切り替えるための設定項目である。チェックボックス５０３がチェックされていない場合、図５−３（ａ）のように他の設定項目が網掛け表示され、入力できない状態になる。チェックボックス５０３がチェックされた場合、図５−３（ｂ）〜（ｄ）のように、設定可能な項目が、網掛けされていない状態で表示される。
【００３３】
ラジオボタン５０４は、外部通信部３０１とコンテンツサーバ１２０間の通信プロトコルを選択するボタンである。ラジオボタン５０４をＳＭＢに選択した場合、図５−３（ｂ）のように、ＳＭＢに関する設定項目の網掛けが解除され、各設定項目を入力できるようになる。ラジオボタン５０４をＨＴＴＰ／ＷｅｂＤＡＶに選択した場合、図５−４（ｃ）のように、ＨＴＴＰ／ＷｅｂＤＡＶに関する設定項目の網掛けが解除され、各設定項目を入力できるようになる。
【００３４】
テキストボックス５０５は、通信プロトコルをＳＭＢに設定した際に表示されるＷｅｂコンテンツのパスを入力するための入力フィールドである。パスとは、Ｗｅｂコンテンツの格納場所を示す文字列であり、ＳＭＢの場合、コンピュータ名、フォルダ名、ファイル名等を￥（円記号）や＼（バックスラッシュ）で区切って示したものである。Ｗｅｂコンテンツとしては、ＨＤＤ２０４に記憶されているファイルを指定しても良いし、コンテンツサーバ１２０に記憶されているファイルを指定しても良い。
【００３５】
テキストボックス５０６は、通信プロトコルをＳＭＢに設定した際に表示されるＷｅｂコンテンツのパスにアクセスする際に使用するユーザ名を入力するための入力フィールドである。
【００３６】
テキストボックス５０７は、通信プロトコルをＳＭＢに設定した際に表示されるＷｅｂコンテンツのパスにアクセスする際に使用するパスワードを入力するための入力フィールドである。
【００３７】
テキストボックス５０８は、通信プロトコルをＨＴＴＰ／ＷｅｂＤＡＶに設定した際に表示されるＷｅｂコンテンツのパスを入力するための入力フィールドである。ＨＴＴＰ／ＷｅｂＤＡＶの場合のパスは、Ｗｅｂコンテンツの格納場所を示すコンピュータ名、フォルダ名、ファイル名等を／（スラッシュ）で区切って示したものである。Ｗｅｂコンテンツとしては、ＨＤＤ２０４に記憶されているファイルを指定しても良いし、コンテンツサーバ１２０に記憶されているファイルを指定しても良い。テキストボックス５０９は、通信プロトコルをＨＴＴＰ／ＷｅｂＤＡＶに設定した際に表示されるＷｅｂコンテンツのパスにアクセスする際に使用するユーザ名を入力するための入力フィールドである。
【００３８】
テキストボックス５１０は、通信プロトコルをＨＴＴＰ／ＷｅｂＤＡＶに設定した際に表示されるＷｅｂコンテンツのパスにアクセスする際に使用するパスワードを入力するための入力フィールドである。
【００３９】
チェックボックス５１１、５１２は、通信プロトコルをＨＴＴＰ／ＷｅｂＤＡＶに設定した際に暗号化通信を行う場合の設定を入力するための設定項目である。
【００４０】
ＯＫボタン５１３は、５０３〜５１２に設定された項目を、後述するコンテンツ設定管理テーブル３０６に記憶させるためのボタンである。ＯＫボタン５１３が押下されると、５０３〜５１２の設定がコンテンツ設定管理テーブル３０６に記憶され、図５−２（ａ）の画面に戻る。
【００４１】
キャンセルボタン５１４は、５０３〜５１２に設定された項目をコンテンツ設定管理テーブル３０６に記憶せず、図５−２（ｂ）の画面に戻るためのボタンである。
【００４２】
ラジオボタン５１５は、図７で説明する画像処理装置１００の操作開始時に認証画面を表示する設定が行われた場合に、Ｗｅｂコンテンツを表示するタイミングを設定するボタンである。ラジオボタン５１５の選択をログイン後とした場合、画像処理装置１００の操作開始時に認証画面を表示する設定では、ログイン後にＷｅｂコンテンツが表示される。ラジオボタン５１５の選択をオートクリア後とした場合、画像処理装置１００の操作開始時に認証画面を表示する設定では、オートクリア後にＷｅｂコンテンツが表示される。
【００４３】
このように、ユーザは図５−１〜図５−４に示す設定画面を介して、サイネージアプリケーション３００に表示させるＷｅｂコンテンツを特定するための特定情報を設定・登録することができる。なお、ここでは、ＷｅｂコンテンツをクライアントＰＣ１０２から設定させる例について示したが、画像処理装置１００の操作部２０９を用いて設定させるようにしても良い。
【００４４】
図３の説明に戻る。コンテンツ管理部３０５は、コンテンツ設定部３０４より設定された内容に基づき、Ｗｅｂコンテンツのパス等をコンテンツ設定管理テーブル３０６に記憶する。また、コンテンツ管理部３０５は、コンテンツ設定管理テーブル３０６より記憶された設定を取得し、Ｗｅｂコンテンツ表示部３０２に通知する。
【００４５】
コンテンツ設定管理テーブル３０６は、コンテンツ設定部３０４より設定されたサイネージアプリケーション３００の設定値を管理するための管理テーブルである。
【００４６】
図６は、コンテンツ設定管理テーブル３０６の一例を示す図である。ここでは、図５−４（ｃ）に示す設定画面を介して入力された内容に基づいて生成・更新されたコンテンツ設定管理テーブル３０６を示している。なお、コンテンツ設定管理テーブル３０６は、画像処理装置１００のＨＤＤ２０４に記憶しても良いし、コンテンツサーバ１２０に記憶するようにしても良い。
【００４７】
６０１は、サイネージアプリケーション３００のそれぞれの設定項目に対応するキーを示す。
【００４８】
６０２は、サイネージアプリケーション３００のそれぞれの設定項目のキーに対応する値を示す。
【００４９】
６０３は、サイネージアプリケーション３００の表示のＯＮ／ＯＦＦを示す項目であり、０がＯＦＦ、１がＯＮであることを示す。図５−３および５―４のチェックボックス５０３の設定が更新された際は、この値が更新される。
【００５０】
６０４は、外部通信部３０１とコンテンツサーバ１２０間の通信プロトコルを示す項目であり、０がＳＭＢ、１がＨＴＴＰ／ＷｅｂＤＡＶであることを示す。図５−３のラジオボタン５０４の設定が更新された際は、この値が更新される。
【００５１】
６０５は、通信プロトコルをＳＭＢに設定した際に表示されるＷｅｂコンテンツのパスを示す項目である。図５−３および５−４のテキストボックス５０５の設定が更新された際は、この値が更新される。
【００５２】
６０６は、通信プロトコルをＳＭＢに設定した際に表示されるＷｅｂコンテンツのパスにアクセスする際に使用するユーザ名を示す項目である。図５−３等のテキストボックス５０６の設定が更新された際は、この値が更新される。
【００５３】
６０７は、通信プロトコルをＳＭＢに設定した際に表示されるＷｅｂコンテンツのパスにアクセスする際に使用するパスワードを示す項目である。図５−３等のテキストボックス５０７の設定が更新された際は、この値が更新される。図５−４も同様である。
【００５４】
６０８は、通信プロトコルをＨＴＴＰ／ＷｅｂＤＡＶに設定した際に表示されるＷｅｂコンテンツのパスを示す項目である。図５−３のテキストボックス５０８の設定が更新された際は、この値が更新される。
【００５５】
６０９は、通信プロトコルをＨＴＴＰ／ＷｅｂＤＡＶに設定した際に表示されるＷｅｂコンテンツのパスにアクセスする際に使用するユーザ名を示す項目である。図５−３等のテキストボックス５０９の設定が更新された際は、この値が更新される。
【００５６】
６１０は、通信プロトコルをＨＴＴＰ／ＷｅｂＤＡＶに設定した際に表示されるＷｅｂコンテンツのパスにアクセスする際に使用するパスワードを示す項目である。図５−３等のテキストボックス５１０の設定が更新された際は、この値が更新される。
【００５７】
６１１、６１２は、通信プロトコルをＨＴＴＰ／ＷｅｂＤＡＶに設定した際に暗号化通信を行う場合の設定を示す項目である。図５−３のチェックボックス５１１、５１２の設定が更新された際は、この値が更新される。図５−４も同様である。
【００５８】
６１３は、図７で説明する画像処理装置１００の操作開始時に認証画面を表示する設定が行われた場合のサイネージを表示するタイミングの設定を示す項目である。図５−３等のラジオボタン５１５の設定が更新された際は、この値が更新される。
【００５９】
コンテンツ管理部３０５は、キー６０１を基に、コンテンツ設定管理テーブル３０６を参照することにより、それぞれの設定項目に関する設定値６０２を取得する。
【００６０】
上述の動作は図５−４も共通する部分は同様である。
【００６１】
図３の説明に戻る。イベント受信部３０７は、認証処理部３０８やオートクリア処理部３０９から通知される各種イベントを受信する。
【００６２】
認証処理部３０８は、認証画面を操作部２０９やクライアントＰＣ１０２に表示させ、ユーザから入力されたユーザＩＤやパスワード等の認証情報を用いてユーザ認証を行う。ユーザ認証が成功した場合には、認証処理部３０８は、当該ユーザを画像処理装置１００にログインさせるためのログイン処理を行う。ログアウトの指示がされた時には、認証処理部３０８は、ログイン中のユーザを画像処理装置からログアウトさせるためのログアウト処理を行う。ログアウトの指示は、操作部２０９上に表示されるログアウトボタンがユーザにより押下された場合、又は、後述するオートクリア処理が実行された場合に発行される。認証処理部３０８は、ログイン処理、ログアウト処理が行われた際に、それぞれ処理が行われたことを示すイベント（ログインイベント、ログアウトイベント）を、イベント受信部３０７に送信する。
【００６３】
また、認証処理部３０８は、後述する通り、認証画面の表示設定に基づいて、認証画面の表示タイミングの制御を行う。
【００６４】
オートクリア処理部３０９は、操作部２０９に対する操作が所定時間行われなかった場合に（以下、「所定時間」をオートクリア移行時間と称する）、オートクリア処理を実行する。オートクリア処理とは、表示されている画面での設定値／設定状態をクリアして初期値に戻す処理である。例えば、コピーに関する各種設定を行うためのコピー画面を介して設定をしている途中でユーザが画像処理装置１００の前を離れ、そのままオートクリア移行時間が経過すると、途中まで設定されていた設定値がクリアされ、デフォルト設定値に戻る。オートクリア機能により、直前に使用していたユーザの設定状態を意図せずに引き継いで想定していなかった設定でコピー等を実行してしまうことや、次に使用するユーザに開示してはいけない設定内容が見えてしまうこと等を防ぐことができる。オートクリア処理部３０９は、オートクリア処理が行われた際に、オートクリアイベントをイベント受信部３０７に送信する。また、オートクリア処理が行われた際、認証処理部３０８はログイン中のユーザをログアウトさせるためのログアウト処理を実行する。なお、オートクリア移行時間は、ユーザが任意に設定することが可能である。
【００６５】
また、オートクリア処理時に遷移する画面を設定することも可能である。オートクリア時に遷移する画面として初期画面が設定されていた場合は、操作部２０９の画面はそれまで表示されていた画面から初期画面に切り替わる。初期画面とは、起動時に表示する画面としてユーザによりあらかじめ設定された画面である。例えば、画像処理装置１００が有する複数の機能（アプリケーション、ファンクション）の中から使用する機能を選択するためのメインメニュー画面や、各機能に対応するアプリケーション画面等が設定可能である。以下の説明では、オートクリア時に遷移する画面として初期画面が設定されており、初期画面としてメインメニュー画面が設定されている例について説明する。
【００６６】
図７は、ユーザ認証に関する設定を行うための画面例を示す図である。図７に示す画面は、管理者権限を有するユーザのログイン時のみ表示可能な画面である。
【００６７】
図７（ａ）は、ユーザ認証を使用するか否かを設定するための画面である。ボタン７０１は、ユーザ認証を有効にするためのボタンであり、このボタンが選択されている場合、認証画面が表示され、画像処理装置１００の各機能を使用するためにユーザ認証が必要になる。ボタン７０２は、ユーザ認証を無効にするためのボタンであり、このボタンが選択されている場合、認証画面が表示されず、ユーザ認証せずに画像処理装置１００の各機能を使用することができる。
【００６８】
図７（ｂ）（ｃ）は、認証画面の表示設定を切り替えるための画面であり、この画面を介した設定に応じて、ユーザ認証が行われるタイミングが決定される。図７（ｂ）はボタン７０３が選択されているときの画面であり、図７（ｃ）はボタン７０４が選択されているときの画面である。
【００６９】
ボタン７０３は、画像処理装置１００の操作開始時に認証画面を表示する設定を行うためのボタンであり、このボタンが選択されている場合、ユーザが操作を開始する際に認証画面が表示され、ユーザ認証が必要となる。つまり操作開始時に認証画面を表示する設定がされている場合、どの機能を利用するにしても最初にユーザ認証が必要となる。
【００７０】
ボタン７０４は、各機能を選択した際に認証画面を表示する設定を行うためのボタンである。ボタン７０４が押下されると、図７（ｃ）に示す通り、ユーザ認証が必要な機能等を選択するための画面７０５がポップアップ表示される。ここで、ボタン７０６が選択されると、図７（ｄ）の画面に切り替わる。
【００７１】
図７（ｄ）は、画像処理装置１００が有する複数の機能のうち、ユーザ認証が必要な機能を選択するための画面である。図７（ｄ）の画面を介して、ユーザ認証が必要な機能として選択された機能については、当該機能を使用する際に認証画面が表示される。一方、ユーザ認証が必要な機能として選択されなかった機能については、ユーザ認証を行うことなく当該機能を使用することができる。図７（ｄ）では、「コピー」、「保存ファイルの利用」、「プリント」の各機能についてはユーザ認証が必要な機能として選択されている。一方、「スキャンして保存」、「スキャンして送信」、「ブラウザ」の各機能についてはユーザ認証が不要な機能である。このように、ボタン７０４が選択されている場合、画像処理装置１００の操作開始時には認証画面が表示されず、ユーザが各機能を使用する際に、選択された機能によっては認証画面が表示され、ユーザ認証が必要となる。
【００７２】
図８は、サイネージアプリケーション３００の表示がＯＦＦに設定されている場合に操作部２０９に表示される画面のフローを示した図である。
【００７３】
図８（ａ）（ｂ）は、図７（ａ）の画面でボタン７０１が選択された場合、すなわち、ユーザ認証機能がＯＮに設定された場合画面フローを示した図である。
【００７４】
図８（ａ）は、図７（ｂ）の画面でボタン７０３が選択された場合、すなわち、認証画面を操作開始時に表示する設定がされた場合の画面フローを示した図である。ユーザが画像処理装置１００の電源をＯＮにし、画像処理装置１００が起動すると、ユーザが認証情報を入力するための認証画面８０１が最初に表示される。認証画面８０１を介してユーザが入力した認証情報に基づくユーザ認証が成功し、ログイン処理が完了すると、画像処理装置１００が有する複数の機能の中から所望の機能を選択するためのメインメニュー画面８０２が表示される。メインメニュー画面８０２において、ユーザがいずれかの機能選択ボタンを押下すると、その機能に対応する画面が表示される。例えば、「コピー」ボタンが選択されると、コピーに関する各種設定を行うためのコピーアプリケーション画面８０３が表示される。また、「スキャンして保存」ボタンが選択されると、スキャンした画像データの保存先を選択するための「スキャンして保存」アプリケーション画面８０４が表示される。なお、ユーザが操作部２０９を操作しないままオートクリア移行時間が経過した場合、オートクリア処理が行われる。オートクリア処理が行われると、ユーザが自動的にログアウトされ、再度認証画面８０１が表示される。例えば画面８０２、８０３、８０４のいずれかの画面を表示したまま、ユーザが操作部２０９を操作せずにオートクリア移行時間が経過すると、オートクリア処理及びログアウト処理が行われ、認証画面８０１の表示に切り替わる。
【００７５】
図８（ｂ）は、図７（ｃ）の画面でボタン７０４が選択された場合、すなわち、認証画面を機能選択時に表示する設定がされた場合の画面フローを示した図である。また、図７（ｄ）に示す通り、認証が必要な機能として、「コピー」、「保存ファイルの利用」、「プリント」機能が選択されているものとする。画像処理装置１００が起動し、ユーザが操作部２０９で操作を開始する際、最初にメインメニュー画面８０２が表示される。メインメニュー画面８０２においてユーザにより選択された機能が、認証が必要な機能として選択された機能であれば、当該機能に対応するアプリケーション画面に遷移する前に認証画面８０１が表示される。例えば、「コピー」ボタンが選択されると、認証画面８０１が表示される。ユーザが認証情報を入力し、ユーザ認証が成功すると、コピーアプリケーション画面８０３が表示される。一方、メインメニュー画面において選択された機能が、認証が不要な機能であれば、認証画面を表示することなく、当該選択された機能に対応するアプリケーション画面に遷移する。例えば、「スキャンした保存」ボタンが選択されると、画面８０４が表示される。また、ユーザが操作部２０９を操作しないままオートクリア移行時間が経過し、オートクリア処理が行われると、ユーザが自動的にログアウトされ、メインメニュー画面８０２に戻る。
【００７６】
図８（ｃ）は、図７（ａ）の画面でボタン７０２が選択された場合、すなわち、ユーザ認証機能がＯＦＦに設定された場合の画面フローを示した図である。
【００７７】
ユーザが画像処理装置１００の電源をＯＮにし、操作部２０９で操作を開始する際、メインメニュー画面８０２が最初に表示される。メインメニュー画面８０２において、ユーザがいずれかの機能選択ボタンを押下すると、選択された機能に対応するアプリケーション画面が表示される。例えば、「コピー」ボタンが選択されると、画面８０３が表示され、「スキャンして保存」ボタンが選択されると、画面８０４が表示される。また、ユーザが操作部２０９を操作しないままオートクリア移行時間が経過すると、オートクリア処理が行われ、初期画面として設定されているメインメニュー画面８０２に戻る。
【００７８】
このように、図７（ａ）の画面を介してユーザ認証するか否かを設定することにより、認証画面を表示するか否かを切り替えることができる。また、図７（ｂ）の画面を介した設定により、認証画面を表示させるタイミングを、操作開始時に表示するか、各機能が選択された際に表示するかを切り替えることが出来る。また、これらユーザ認証に関する設定に従って、オートクリア時に表示される画面も切り替わる。
【００７９】
次に、サイネージアプリケーション３００の表示がＯＮに設定されている場合に操作部２０９に表示される画面について説明する。
【００８０】
図９は、サイネージアプリケーション３００により、予め登録されたＷｅｂコンテンツが表示された時の画面例を示した図である。Ｗｅｂコンテンツ９０１は、コンテンツサーバ１２０より取得したＷｅｂコンテンツが表示されたものである。ここでは、図６のコンテンツ設定管理テーブル３０６より、「ｈｔｔｐｓ：／／ｇｕｅｓｔ＿ｗｅｂｄａｖ／ｓｉｇｎａｇｅ．ｈｔｍｌ」で示されるＨＴＭＬファイルが表示されている。ユーザが閉じるボタン９０２を押下すると、Ｗｅｂコンテンツ９０１は非表示となる。なお、図９では、防災訓練のお知らせが表示されている。このように、従業員に対する通達事項をＷｅｂコンテンツとして登録し、サイネージアプリケーション３００を用いて画像処理装置１００に表示させることにより、従業員に対する情報共有の支援、企業の情報統制等に活用することができる。
【００８１】
続いて、本実施形態の特徴である、Ｗｅｂコンテンツの表示タイミングについて説明する。上述したとおり、図７の画面を介したユーザ認証に関する設定に応じて、表示される画面のフローは異なる。本実施形態では、画像処理装置１００をサイネージとして有効活用するために、この画面フローの違いを考慮して、ユーザ認証に関する設定に応じた適切なタイミングでＷｅｂコンテンツを表示させるようにしている。
【００８２】
図１０は、サイネージアプリケーション３００の表示がＯＮに設定されている場合に操作部２０９に表示される画面のフローを示した図である。図８と同じ画面については同じ符号を付すことにより、図８で示す画面フローとの差異を明示することにする。
【００８３】
図１０（ａ）（ｂ）（ｃ）は、図７（ａ）の画面でボタン７０１が選択された場合、すなわち、ユーザ認証機能がＯＮに設定された場合の画面フローを示した図である。
【００８４】
図１０（ａ）は、図７（ｂ）の画面でボタン７０３が選択された場合、すなわち、認証画面を操作開始時に表示する設定がされた場合の画面フローを示した図である。加えて、図１０（ａ）は、図５−４（ｄ）の画面でラジオボタン５１５の選択がログイン後とされた場合の画面フローである。図８（ａ）と比較すると、認証画面８０１を介してユーザにより入力された認証情報に基づいてユーザ認証が成功し、ログイン処理が完了すると、サイネージアプリケーション３００の画面１００１が表示される。この画面１００１は、図９で示した画面と同一である。ここで、閉じるボタンが押下されると、画面１００１が非表示となり、メインメニュー画面８０２が表示される。
【００８５】
このように、認証画面を操作開始時に表示する設定がされており、ログイン後にＷｅｂコンテンツを表示する設定がされている場合、ユーザのログインが完了したタイミングで、サイネージアプリケーション３００によりＷｅｂコンテンツが表示される。よって、ユーザが画像処理装置１００を使い始めたときにＷｅｂコンテンツが表示されることとなるので、ユーザの注意を惹くことができ、社内の通達事項等を効果的にユーザに知らしめることが可能となる。
【００８６】
図１０（ｂ）は、図７（ｂ）の画面でボタン７０３が選択された場合、すなわち、認証画面を操作開始時に表示する設定がされた場合の画面フローを示した図である。加えて、図１０（ｂ）は、図５−４（ｄ）の画面でラジオボタン５１５の選択がオートクリア後とされた場合の画面フローである。図８（ａ）と比較すると、ユーザが操作部２０９を操作しないままオートクリア移行時間が経過し、オートクリア処理が行われると、サイネージアプリケーション３００の画面１００１が表示される。そして、閉じるボタンが押下されると、画面１００１が非表示となり、認証画面８０１が表示される。この画面１００１は、図９で示した画面と同一である。また、認証画面８０１を介してユーザにより入力された認証情報に基づいてユーザ認証が成功し、ログイン処理が完了すると、メインメニュー画面８０２が表示される。
【００８７】
このように、認証画面を操作開始時に表示する設定がされている。また、オートクリア後にＷｅｂコンテンツを操作終了後に表示する設定がされている場合、次のようになる。オートクリアが行われたタイミングで、サイネージアプリケーション３００によってＷｅｂコンテンツが表示される。よって、ユーザが画像処理装置１００を操作する前からＷｅｂコンテンツが表示されるため、画像処理装置１００を操作するつもりがなく、前を通り過ぎただけのユーザに対してもＷｅｂコンテンツが目にも止まる機会が増え、広告として高い効果が期待できる。
【００８８】
図１０（ｃ）は、図７（ｃ）の画面でボタン７０４が選択され、すなわち、認証画面を機能選択時に表示する設定がされた場合の画面フローを示した図である。また、図７（ｄ）に示す通り、認証が必要な機能として、「コピー」、「保存ファイルの利用」、「プリント」機能が選択されているものとする。
【００８９】
この場合、認証画面８０１を介して入力された情報に基づきユーザ認証及びログイン処理が完了しても、サイネージアプリケーション３００の画面は表示されない。その代わり、ユーザが操作部２０９を操作しないままオートクリア移行時間が経過し、オートクリア処理が行われると、サイネージアプリケーション３００の画面１００１が表示される。そして、閉じるボタンが押下されると、画面１００１が非表示となり、メインメニュー画面８０２が表示される。
【００９０】
このように、図７（ｂ）を介して、認証画面を機能選択時に表示する設定がされている場合、ユーザがログインしたタイミングでＷｅｂコンテンツを表示せずに、オートクリアが発生したタイミングで、Ｗｅｂコンテンツが表示される。仮に、認証画面を操作開始時に表示する設定がされた場合と同様に、ログインしたタイミングでＷｅｂコンテンツを表示するようにしたとしても、ユーザ認証が必要な機能がユーザにより選択された場合はＷｅｂコンテンツが表示されることになる。一方、ユーザ認証が不要な機能が選択された場合には、ログインが行われないため、Ｗｅｂコンテンツが表示されることもない。例えば、「スキャンして保存」機能を頻繁に使用し、「コピー」機能をほとんど使用しないユーザにとっては、Ｗｅｂコンテンツを目にする機会がほとんどなくなってしまう。これに対し、Ｗｅｂコンテンツの表示タイミングをオートクリア発生時にすることにより、オートクリア後に画像処理装置１００を使用するユーザが操作部２０９を最初に操作するときにはＷｅｂコンテンツを見ることとなる。よって、使用される機能に関係なく画像処理装置１００の待機中に宣伝用の端末として利用することが可能となり、通達事項等を効果的にユーザに知らしめることができる。
【００９１】
図１０（ｄ）は、図７（ａ）の画面でボタン７０２が選択された場合、すなわち、ユーザ認証機能がＯＦＦに設定された場合の画面フローを示した図である。
【００９２】
この場合、図１０（ｃ）の場合と同様に、オートクリアが発生したタイミングでサイネージアプリケーション３００の画面１００１が表示される。
【００９３】
このように、ユーザ認証機能を使用しない設定がされている場合であっても、オートクリアが発生したタイミングでＷｅｂコンテンツを表示することにより、画像処理装置１００をサイネージとして有効活用することができる。
【００９４】
図４は、ＣＰＵ２０１により実行されるＷｅｂコンテンツの表示処理を示すフローチャートである。
【００９５】
Ｓ４０１において、ＣＰＵ２０１は、イベント受信部３０７により、認証処理部３０８、オートクリア処理部３０９から、ログインイベント、オートクリアイベントを受信したか判断する。いずれかのイベントを受信したとＣＰＵ２０１が判断した場合、処理はＳ４０２に進む。どちらのイベントを受信していないとＣＰＵ２０１が判断した場合、処理はＳ４０１に戻りイベントの受信を待つ。
【００９６】
Ｓ４０２において、ＣＰＵ２０１は、コンテンツ管理部３０５により、コンテンツ設定管理テーブル３０６からキー６０３に対応する設定値を取得して、サイネージアプリケーション３００の表示がＯＮになっているか判断する。表示がＯＦＦになっているとＣＰＵ２０１が判断した場合、処理を終了する。表示がＯＮになっているとＣＰＵ２０１が判断した場合、処理はＳ４０３に進む。
【００９７】
Ｓ４０３において、ＣＰＵ２０１は、イベント受信部３０７により、Ｓ４０１における受信したイベントがログインイベントか、オートクリアイベントか判断する。ログインイベントであるとＣＰＵ２０１が判断した場合、処理はＳ４０４−１に進む。オートクリアイベントであるとＣＰＵ２０１が判断した場合、処理はＳ４０４−２に進む。
【００９８】
Ｓ４０４−１において、ＣＰＵ２０１は、認証処理部３０８により、認証画面の表示設定が、操作開始時に認証画面を表示する設定であるか否かを判断する。操作開始時に認証画面を表示する設定ではないとＣＰＵ２０１が判断した場合、すなわち、機能選択時に認証画面を表示する設定の場合、処理を終了する。操作開始時に認証画面を表示する設定であるとＣＰＵ２０１が判断した場合、処理はＳ４１１に進む。
【００９９】
Ｓ４１１において、ＣＰＵ２０１は、コンテンツ管理部３０５により、コンテンツ設定管理テーブル３０６からキー６１３に対応する設定値を取得して、Ｗｅｂコンテンツを表示するタイミングがログイン後か否かを判断する。ログイン後である場合とＣＰＵ２０１が判断した場合、処理はＳ４０６に進む。ログイン後ではないとＣＰＵ２０１が判断した場合、処理は終了する。
【０１００】
Ｓ４０４−２において、ＣＰＵ２０１は、認証処理部３０８により、認証画面の表示設定が、操作開始時に認証画面を表示する設定であるか否かを判断する。操作開始時に認証画面を表示する設定ではないとＣＰＵ２０１が判断した場合、すなわち、機能選択時に認証画面を表示する設定の場合、処理はＳ４０５に進む。操作開始時に認証画面を表示する設定であるとＣＰＵ２０１が判断した場合、処理はＳ４１２に進む。
【０１０１】
Ｓ４０５において、ＣＰＵ２０１は、認証処理部３０８により、認証画面の表示設定が、機能選択時に認証画面を表示する設定であるか、もしくはユーザ認証が無効の設定であるか否かを判断する。機能選択時に認証画面を表示する設定ではない、つまり、操作開始時に認証画面を表示する設定の場合、もしくはユーザ認証が有効であるとＣＰＵ２０１が判断した場合、処理を終了する。機能選択時に認証画面を表示する設定である、もしくはユーザ認証が無効であるとＣＰＵ２０１が判断した場合、処理はＳ４０６に進む。
【０１０２】
Ｓ４１２において、ＣＰＵ２０１は、コンテンツ管理部３０５により、コンテンツ設定管理テーブル３０６からキー６１３に対応する設定値を取得して、Ｗｅｂコンテンツを表示するタイミングがオートクリア後か否かを判断する。オートクリア後である場合とＣＰＵ２０１が判断した場合、処理はＳ４０６に進む。オートクリア後ではないとＣＰＵ２０１が判断した場合、処理は終了する。
【０１０３】
Ｓ４０６において、ＣＰＵ２０１は、コンテンツ管理部３０５によりコンテンツ設定管理テーブル３０６を参照し、Ｗｅｂコンテンツパスを取得して、Ｗｅｂコンテンツ表示部３０２に通知する。
【０１０４】
Ｓ４０７において、ＣＰＵ２０１は、Ｗｅｂコンテンツ表示部３０２により、Ｓ４０２で取得したパスに基づいて、コンテンツサーバ１２０よりＷｅｂコンテンツを取得し、ＲＡＭ２０３に読み込む。
【０１０５】
Ｓ４０８において、ＣＰＵ２０１は、表示制御部３０３により、サイネージアプリケーション３００の画面の表示に切り替える。サイネージアプリケーション３００の画面には、Ｓ４０７で取得されたＷｅｂコンテンツがＷｅｂコンテンツ表示部３０２により出力されており、当該Ｗｅｂコンテンツが操作部２０９に表示される。
【０１０６】
Ｓ４０９において、ＣＰＵ２０１は、操作部２０９を介して、ユーザからサイネージアプリケーション３００上にある閉じるボタンが押下されたか判断する。閉じるボタンが押下されたとＣＰＵ２０１が判断した場合、Ｓ４１０に進む。閉じるボタンが押下されていないとＣＰＵ２０１が判断した場合、処理はＳ４０９に戻る。
【０１０７】
Ｓ４１０において、ＣＰＵ２０１は、表示制御部３０３により、サイネージアプリケーション３００の画面を非表示にする。
【０１０８】
以上のように、本実施形態の画像処理装置１００によれば、表示すべきＷｅｂコンテンツを登録しておくことで、特定のイベントが発生したタイミングで、登録されたＷｅｂコンテンツを表示できる。特に、ユーザ認証に関する設定に応じて、サイネージアプリケーション３００の表示タイミングを決定することにより、適切なタイミングで情報をユーザに見せることができ、より効果的にユーザに情報を伝達することが可能となる。具体的には、操作開始時に認証画面を表示する設定の場合、すなわち、いずれの機能を使用する場合でもユーザ認証が必要な設定の場合は、ユーザのログインが完了したタイミングでＷｅｂコンテンツを表示させる。これにより、画像処理装置１００を使用するユーザは、必ずＷｅｂコンテンツを目にすることになる。一方、機能選択時に認証画面を表示する設定の場合、すなわち、ユーザ認証を必要とするか否かが機能ごとに決められている設定の場合、並びにユーザ認証を行わない設定の場合は、オートクリアが発生したタイミングでＷｅｂコンテンツを表示させる。これにより、オートクリア発生後に次に画像処理装置１００を使用するユーザは必ずＷｅｂコンテンツを目にすることになる。このように、従業員等に知らせたい情報等をＷｅｂコンテンツとしてあらかじめ登録しておけば、ユーザ認証の設定に応じて自動的にＷｅｂコンテンツの表示タイミングも変更されるので、表示タイミングを別途設定する必要がなく、ユーザの利便性が向上する。
【０１０９】
（他の実施形態）
なお、上記実施形態では、ユーザにより入力されたユーザＩＤ、パスワードに基づいてユーザ認証が行われる例について説明したが、ユーザを認証するための認証情報はこれらに限るものではない。また、上記実施形態では、ユーザがこれらの認証情報を手入力する場合について説明したが、他の方法を用いて認証情報を入力できるようにしてもよい。例えば、認証情報が記憶された非接触通信カードを画像処理装置にかざすことにより、当該認証情報を画像処理装置が読み取ってユーザ認証を行えるようにしてもよい。また、上記実施形態では、認証処理部３０８がユーザ認証処理を行い、認証が成功するとログイン処理を行う例について説明したが、画像処理装置自身がユーザ認証処理を行わなくても構わない。その場合、外部に認証サーバを設け、画像処理装置はユーザから入力された認証情報を認証サーバに送信し、認証サーバがユーザ認証を行う。そして、画像処理装置は認証結果を認証サーバから受け取り、認証成功の場合はユーザのログイン処理を行う。
【０１１０】
また、上記実施形態では、ユーザ認証機能のＯＮ／ＯＦＦを切り替えることが可能な画像処理装置について説明したが、ユーザ認証機能が常にＯＮの画像処理装置であってもよい。その場合、認証画面を操作開始時に表示するか、認証画面を機能選択時に表示するかの設定に応じて、Ｗｅｂコンテンツの表示タイミングをユーザのログイン実行時にするか、オートクリア実行時にするかを決定すればよい。また、ユーザ認証機能がＯＮの場合に、認証画面を操作開始時に表示するか、機能選択時に表示するかを切り替えることが可能な画像処理装置について説明したが、認証画面を機能選択時に表示する設定ができない画像処理装置であってもよい。その場合、ユーザ認証機能のＯＮ／ＯＦＦの設定に応じて、Ｗｅｂコンテンツの表示タイミングをユーザのログイン実行時にするか、オートクリア実行時にするかを決定すればよい。
【０１１１】
また、上記実施形態では、オートクリア時をＷｅｂコンテンツの表示タイミングの一つとしていたが、その表示タイミングはユーザのログアウト時としてもよい。
【０１１２】
また、図５−４（ｄ）のラジオボタン５１５を選択に応じてＷｅｂコンテンツの表示タイミングを制御できるようにした。これにより、Ｗｅｂコンテンツの表示時期を、ログイン後、および、オートクリア後のいずれかを選択することができる。例えば、重要で誰にでも見てほしいコンテンツであれば、ログイン後に表示することができる。一方、何かの処理待ちなどでオートクリアが発生した場合に見てほしいコンテンツであれば、オートクリア後に設定することもできる。このように、コンテンツの内容に応じて、管理者は自在にＷｅｂコンテンツの表示時期を選択または切り替えることができるのである。
【０１１３】
ログアウト処理は、ユーザによるログアウトボタンが押されたとき、又は、オートクリア処理が行われたときに実行されるので、ユーザのログアウト後、次に使用するユーザは最初にＷｅｂコンテンツを目にすることとなる。よって、認証画面を機能選択時に表示する設定がされている場合やユーザ認証がＯＦＦの場合と類似したタイミングでＷｅｂコンテンツが表示されることとなり、ユーザの利便性が向上する。また、ユーザ認証機能がＯＮかつ認証画面を操作開始時に表示する設定がされている場合のＷｅｂコンテンツの表示タイミングを、ログイン完了時ではなく、ユーザ認証の成功時にしても構わない。
【０１１４】
また、画像処理装置１００において発生する他のイベント時にもＷｅｂコンテンツを表示するようにしても良い。例えば、プリント時、コピー実行開始時、スキャナにより生成された画像データを外部に送信する機能（スキャンして送信機能）の実行開始時、保存ファイルの利用実行開始時にサイネージアプリケーション３００を表示しても良い。また、トナー無し等のメンテナンス事象発生などの、画像処理装置１００の状態が変化した際に、サイネージアプリケーション３００を表示しても良い。
【０１１５】
以上説明したように、画像処理装置１００の操作部Ｉ／Ｆ２０５に表示すべきコンテンツをＣＰＵ２０１は登録する。
【０１１６】
そして、登録したコンテンツを、前記画像処理装置１００に対するログインに応じて前記操作部Ｉ／Ｆに表示するかをＣＰＵ２０１が設定するようにできることを示した。さらに、登録したコンテンツを、前記画像処理装置に対するログインに応じて表示するよう設定するよう設定されている場合、ＣＰＵ２０１は、ユーザがログインすることに応じて、登録されたコンテンツ操作部Ｉ／Ｆ２０５上に表示する処理を制御する。
【０１１７】
さらに、ＣＰＵ２０１が登録したコンテンツを、画像処理装置１０１に対してユーザがログインしていないタイミングで表示するか、前記画像処理装置に対してユーザがログインしたタイミングで表示するかをＣＰＵ２０１は設定する。
【０１１８】
ＣＰＵ２０１が登録したコンテンツを画像処理装置１０１に対してユーザがログインしていないタイミングで表示するよう設定されている場合、次のようになる。すなわち、ユーザがログインしていないタイミングで、登録されたコンテンツを操作部Ｉ／Ｆ２０５上に表示する。さらに、コンテンツを画像処理装置１０１に対してユーザがログインしたタイミングで表示するよう設定されている場合、ユーザがログインしたタイミングで、コンテンツを操作部Ｉ／Ｆ２０５上に表示する処理をＣＰＵ２０１は制御する。
【０１１９】
ＣＰＵ２０１は、コンテンツを画像処理装置１０１に対してユーザがログインしていないタイミングで表示するよう設定されている場合、ユーザがログアウトすることに応じて、コンテンツを操作部Ｉ／Ｆ２０５上に表示する処理をＣＰＵ２０１は制御する。
【０１２０】
複数のコンテンツのそれぞれに対して異なる表示タイミングを設定可能としてもよい。
【０１２１】
例えば、重要な掲示事項のコンテンツは、ログイン前やログアウト後に表示することにし、副次的な事項のコンテンツはログイン後に表示することとしてもよい。その逆でもよい。
【０１２２】
例えば、副次的な事項のコンテンツはオートクリア時にのみ設定することとしてもよい。
【０１２３】
ＣＰＵ２０１は、コンテンツの表示タイミングをログインイベントが発生したタイミングにするか、オートクリアイベントが発生したタイミングにするかを設定できる。また、ＣＰＵ２０１は、設定されたタイミングでコンテンツを表示する処理を制御する。
【０１２４】
なお、本実施形態では、ログイン後にコンテンツを表示するか、ログイン前にコンテンツを表示するかを択一的にラジオボタンを選択させた。なお、当該選択を択一的にせず、チェックボックスでこれら２つのタイミングを独立してＯＮまたはＯＦＦできるようにしてもよい。
【０１２５】
なお、本実施形態のログイン状態とは、所定のユーザ認証処理が実施され、ユーザが画像形成装置の操作部を介して操作画面を表示し、画像形成装置がローカル操作できる状態になっていることをいうこととしてもよい。また、ログアウト状態とは、画像処理装置の認証情報の入力が必要とされる状態と考えてもよい。ログアウトするタイミングには、前述のオートクリアのタイミングを含むようにしてもよい。
【０１２６】
なお、上記実施形態ではコピー機能、スキャナ機能等の複数の機能を有する画像処理装置１００を例として説明したが、このうち一部の機能のみを有する画像処理装置にも本発明は適用可能である。また、パーソナルコンピュータやＰＤＡ、携帯電話、ＦＡＸ、カメラ、ビデオカメラ、その他の画像ビューワ等、他の情報処理装置に適用しても構わない。
【０１２７】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのコンピュータプログラム、及び該コンピュータプログラムを記憶した記憶媒体は本発明を構成することになる。
【符号の説明】
【０１２８】
２０１  ＣＰＵ
２０２  ＲＯＭ
２０３  ＲＡＭ
２０４  ＨＤＤ
２０８  ネットワークＩ／Ｆ
２０９  操作部
２１０  プリンタ
２１１  スキャナ
【図１】
2019010863.tif 000003
【図２】
2019010863.tif 000004
【図３】
2019010863.tif 000005
【図４】
2019010863.tif 000006
【図５−１】
2019010863.tif 000007
【図５−２】
2019010863.tif 000008
【図５−３】
2019010863.tif 000009
【図５−４】
2019010863.tif 000010
【図６】
2019010863.tif 000011
【図７】
2019010863.tif 000012
【図８（ａ）】
2019010863.tif 000013
【図８（ｂ）】
2019010863.tif 000014
【図８（ｃ）】
2019010863.tif 000015
【図９】
2019010863.tif 000016
【図１０（ａ）】
2019010863.tif 000017
【図１０（ｂ）】
2019010863.tif 000018
【図１０（ｃ）】
2019010863.tif 000019
【図１０（ｄ）】
2019010863.tif 000020